(57)【要約】【課題】ドライブのデータに高速でアクセスでき、常時接続で生じる欠点を解消したハードディスクドライブ記憶システムを提供する。【解決手段】本発明によると、ハードディスクドライブ記憶システムの一実施形態は、ライブラリ、ライブラリに取り付けられた少なくとも１つの格納デバイス、およびライブラリに取り付けられた少なくとも１つのコネクタを備える。少なくとも１つのハードディスクドライブは、少なくとも１つの格納デバイスに収納可能であり、かつ代替的に、少なくとも１つのコネクタに隣接して収納可能である。ピッカアセンブリは、ライブラリに移動可能に取り付けられ、少なくとも１つの記憶デバイスと少なくとも１つのコネクタとの間で少なくとも１つのハードディスクドライブを運ぶ。【選択図】図１
2004178791.tif 000002
【特許請求の範囲】
【請求項１】
ライブラリと、
前記ライブラリに取り付けられた少なくとも１つの格納デバイスと、
前記ライブラリに取り付けられた少なくとも１つのコネクタと、
前記少なくとも１つの格納デバイスと前記少なくとも１つのコネクタの近傍に収納可能である、少なくとも１つのハードディスクドライブと、
前記ライブラリに移動可能に取り付けられ、前記少なくとも１つの格納デバイスと前記少なくとも１つのコネクタとの間で前記少なくとも１つのハードディスクドライブを運ぶ、ピッカアセンブリとを備えることを特徴とするハードディスクドライブ記憶システム。
【請求項２】
前記ピッカアセンブリは、前記ハードディスクドライブの対応コネクタを前記少なくとも１つのコネクタに接続するように動作可能であることを特徴とする、請求項１に記載の記憶システム。
【請求項３】
前記ピッカアセンブリは、前記ハードディスクドライブの対応コネクタを前記少なくとも１つのコネクタから外すように動作可能であることを特徴とする、請求項１に記載の記憶システム。
【請求項４】
前記少なくとも１つのコネクタが取り付けられたデータアクセスデバイスをさらに備えることを特徴とする、請求項１に記載の記憶システム。
【請求項５】
前記少なくとも１つのハードディスクドライブそれぞれに取り付けられた少なくとも１つのガイド部材をさらに備えることを特徴とする、請求項１に記載の記憶システム。
【請求項６】
格納デバイスガイドをさらに備え、前記少なくとも１つのガイド部材は、前記格納デバイスガイドと協働して、前記少なくとも１つの格納デバイス内で前記ハードディスクドライブを位置合わせさせることを特徴とする、請求項５に記載の記憶システム。
【請求項７】
コネクタガイドをさらに備え、前記少なくとも１つのハードディスクドライブに取り付けられた前記少なくとも１つのガイド部材は、前記コネクタガイドと協働して、前記少なくとも１つのハードディスクドライブを前記少なくとも１つのコネクタと位置合わせさせることを特徴とする、請求項５に記載の記憶システム。
【請求項８】
記憶システムにおける複数のハードディスクドライブからのデータにアクセスする方法であって、
前記記憶システムに前記複数のハードディスクドライブを格納し、
前記記憶システムにおいて前記複数のハードディスクドライブの１つをコネクタに移送し、
読み取り／書き込み動作を行うために、移送された前記ハードディスクドライブを前記コネクタに接続し、
前記読み取り／書き込み動作に続いて、接続されている前記ハードディスクドライブを前記コネクタから外すことを特徴とする方法。
【請求項９】
前記移送されたハードディスクドライブを前記コネクタに接続した後に、前記移送されたハードディスクドライブに電力を供給することをさらに含むことを特徴とする、請求項８に記載の方法。
【請求項１０】
前記移送されたハードディスクドライブを前記コネクタに接続した後に、前記移送されたハードディスクドライブにデータ接続を提供することをさらに含むことを特徴とする、請求項８に記載の方法。
【発明の詳細な説明】
【技術分野】
【０００１】
本発明は、包括的には記憶システムに関し、より詳細にはハードディスクドライブ記憶システムに関する。
【背景技術】
【０００２】
記憶システム、すなわちオートチェンジャは、既知の場所にデータカートリッジを格納し、かつ所望のデータカートリッジを検索して、データカートリッジに対してデータの書き込みおよび／または読み出しを行うことができるようにするために一般に用いられる。したがって、大量のコンピュータ読み取り可能データは、多数のデータカートリッジに記憶され、記憶システムに（例えばネットワーク上で）接続された１つまたは複数のコンピュータによりアクセスされ得る。
【０００３】
かかる記憶システムは、１つまたは複数の格納マガジンおよびカートリッジ読み取り／書き込みデバイスを含み得る。格納マガジンは、データカートリッジの格納場所としての役割を果たし、読み取り／書き込みデバイス（複数可）は、データカートリッジに記憶されたデータへのアクセスを可能にする。記憶システムは、ピッカアセンブリと連動するコントローラ、ならびに記憶システムに格納されたデータカートリッジ間でピッカアセンブリを移動させるための駆動システムも含み得る。
【０００４】
例として、コントローラがある特定のデータカートリッジにアクセスせよとの命令を受け取った場合、コントローラは、駆動システムがピッカアセンブリを所望のデータカートリッジの場所まで移動させるようにする。次に、ピッカアセンブリはデータカートリッジを取り出し、それを読み取り／書き込みデバイスへ運ぶ。ピッカアセンブリは、読み取り／書き込み動作に続いて、格納マガジンへデータカートリッジを戻すように動作することもできる。
【０００５】
通常のデータカートリッジのアクセスタイミング（time）は比較的遅い。例えば、データカートリッジが読み取り／書き込みデバイスへ運ばれてしまうと、読み取り／書き込みヘッドを位置決めしてから読み取り／書き込み動作を開始できるまでに、さらに４〜６分かかる可能性がある。ハードディスクドライブのアクセスタイミングははるかに速い。例えば、通常のハードディスクドライブに設けられた読み取り／書き込みヘッドの位置決めでは、読み取り／書き込み動作が開始できるまでに約１０〜１５ミリ秒しかかからない。
【０００６】
最近まで、ハードディスクドライブは一般に、データカートリッジよりも高価であった。しかし最近では、ハードディスクドライブのコストはデータカートリッジのコストに近づいてきているため、ハードディスクドライブは過去に比べて大容量ストレージソリューションとしてより一般的になりつつある。例えば、ハードディスクドライブは通常、ＲＡＩＤ（すなわち、独立ディスクランダム配列（random array of independent disks））記憶システムに提供される。
【発明の開示】
【発明が解決しようとする課題】
【０００７】
ＲＡＩＤ記憶システムで用いられるハードディスクドライブは、使用時でなくても常時接続されている。「常時接続」システムに設けられたハードディスクドライブは、損耗（例えば熱からの）、さらには永久的な損傷またはデータ損失（例えば電源サージ中の）を受けやすい。さらに、かかるシステムのハードディスクドライブのそれぞれを結合するために、多数のケーブル配線が必要である。
【課題を解決するための手段】
【０００８】
本発明によると、ハードディスクドライブ記憶システムの一実施形態は、ライブラリ、ライブラリに取り付けられた少なくとも１つの格納デバイス、およびライブラリに取り付けられた少なくとも１つのコネクタを備える。少なくとも１つのハードディスクドライブは、少なくとも１つの格納デバイスに収納可能であり、かつ代替的に、少なくとも１つのコネクタに隣接して収納可能である。ピッカアセンブリは、ライブラリに移動可能に取り付けられ、少なくとも１つの記憶デバイスと少なくとも１つのコネクタとの間で少なくとも１つのハードディスクドライブを運ぶ。
【０００９】
記憶システムにおける複数のハードディスクドライブからのデータにアクセスする方法の一実施形態は、記憶システムに複数のハードディスクドライブを格納すること、記憶システムにおいて複数のハードディスクドライブの１つをコネクタに移送すること、移送されたハードディスクドライブをコネクタに接続することであって、それにより読み取り／書き込み動作を行う、接続すること、および読み取り／書き込み動作に続いて、接続されているハードディスクドライブをコネクタから外すこと、を含む。
【発明の効果】
【００１０】
本発明のハードディスクドライブ記憶システムにハードディスクドライブを使用することにより、ユーザは、ドライブのデータに高速アクセスすることができる。ハードディスクドライブは、使用時以外には物理的に外されることにより、ハードディスクドライブが常時接続されている場合に生じ得る損耗および／または永久的な損傷またはデータ損失を低減することもまた有利である。さらに、ハードディスクドライブ記憶システムに必要なケーブル配線は、「常時接続」システムよりも少なくなる。
【００１１】
本発明の例示的な目下好ましい実施形態を図面に示す。
【発明を実施するための最良の形態】
【００１２】
ハードディスクドライブ記憶システム１０が、いくつかのハードディスクドライブ１２に大量のコンピュータ読み取り可能データを記憶するために用いられ得るものとして、本発明の実施形態に従って本明細書中に図示および記載される。１人または複数人のユーザは、コンピュータ１５から（例えば、ネットワーク上、直接接続等で）適当な制御回路（例えばコントローラ１９）を介して記憶システム１０（図１）と繋がることができる。ハードディスクドライブ記憶システム１０は、いくつかの格納デバイス１６（例えば格納マガジン）および少なくとも１つのデータアクセスデバイス１８が内部に取り付けられたライブラリ１４を含み得る。格納デバイス１６およびデータアクセスデバイス１８は、図１に示す略Ｕ字形の構成等の、任意の適当な構成で配置されてよい。
【００１３】
図１ではライブラリ１４の格納デバイス１６およびデータアクセスデバイス１８は特定の構成で配置されて示されているが、他の適当な変更も本発明の範囲内にあると考えられることに留意されたい。さらに、ライブラリ１４に設けられる格納デバイス１６およびデータアクセスデバイス１８の数は、設計に関する様々な考慮事項に応じて決めることができる。かかる考慮事項は、データにアクセスする際の周波数を含み得るが、これに限定されない。他の考慮事項としては、ライブラリ１４の物理的な寸法が含まれ得る。
【００１４】
ライブラリ１４には、ピッカアセンブリ２８も設けられ得る。概して、ピッカアセンブリ２８は、ハードディスクドライブ１２の１つと係合して、ハードディスクドライブ１２を（例えば格納デバイス１６の１つから）引き出し、ライブラリ１４内でハードディスクドライブ１２を移送し、意図した目的位置（例えばデータアクセスデバイス１８）でデータカートリッジを排出するようになっている。
【００１５】
ライブラリ１４にはガイドシステム２４を取り付けることができ、ガイドシステム２４は、格納デバイス１６およびデータアクセスデバイス１８に隣接する移動経路２６を画定する。一実施形態では、ガイドシステム２４は、ギヤトラックが取り付けられたレールを含み得る。しかしながら、ガイドシステム２４の他の実施形態もまた、本発明の範囲内にあるものと考えられ、本発明の教示を熟知した当業者であれば容易に提供することができる。
【００１６】
ピッカアセンブリ２８は、ガイドシステム２４と連動し、ライブラリ１４のハードディスクドライブ１２にアクセスするために移動経路２６に沿って移動可能である。例えば、ピッカアセンブリ２８は、ギヤアセンブリと連動する駆動モータを有するアクチュエータアセンブリ３０を含み得る。ギヤアセンブリは、ガイドシステム２４のギヤトラックと係合して、ライブラリ１４においてガイドシステム２４上でピッカアセンブリ２８を移動させることができる。
【００１７】
適当なコントローラ１９がピッカアセンブリ２８と連動し、ライブラリ１４内で、例えばデータアクセスデバイス１８と格納デバイス１６との間で、ハードディスクドライブ１２を移送する。例示のために、ピッカアセンブリ２８を図１において位置１７、１７’、および１７’’で示す。ピッカアセンブリ２８は、位置１７および１７’’で格納デバイス１６に隣接して位置するように示され、位置１７’でデータアクセスデバイス１８に隣接して位置するように示される。
【００１８】
本発明の教示に従って用いられ得るピッカアセンブリ２８の一実施形態は、図２においてより詳細に示され、図３において側部パネル３２を取り外した状態でも示される。ピッカアセンブリ２８は、ハードディスクドライブ１２を収納するサイズであるキャビティ３６を画定するハウジング３４を含み得る。プランジ機構すなわち「サムアセンブリ（thumb assembly）」３８がハウジング３４に摺動可能に取り付けられていることにより、サムアセンブリ３８をハウジング３４のカートリッジアクセス端部４０に対して、概ね矢印４１および４２でそれぞれ示す方向に進退移動させることができる。
【００１９】
現在既知であるかまたは将来開発され得る広範囲に及ぶ他のピッカアセンブリもまた、本発明の範囲内にあると考えられることに留意されたい。したがって、本発明は、本明細書中で図示および記載する特定のピッカアセンブリ２８との使用に限定されるとみなされるべきではない。
【００２０】
本発明のハードディスクドライブ記憶システム１０と共に用いるように設けられ得るハードディスクドライブ１２の１つの一実施形態は、図４（ａ）〜図４（ｃ）においてより詳細に示される。ハードディスクドライブ１２はハウジング４４を含み得る。１つまたは複数のガイド部材４６、４７が、ハードディスクドライブ１２のハウジング４４に取り付けられ得るか、またはハウジング４４と一体的に形成され得る。
【００２１】
ガイド部材４６、４７は、対応する格納デバイスガイド５２（図５）と協働し、ガイド５２は、ガイド５２に対するハードディスクドライブ１２の挿入および引き出しが行われている時にハードディスクドライブ１２を位置合わせするために格納デバイス１６に設けられ得る。これにより、ハードディスクドライブ１２は、固定されることなくガイド５２に対する挿入および引き出しが容易に行われ得る。
【００２２】
格納デバイス１６の一実施形態を図５に示すが、ここでは格納デバイスは格納マガジンである。かかる実施形態によると、格納デバイス１６は、いくつかの格納室５０が内部に形成されたハウジング５１を含むことができ、格納室５０はそれぞれ、少なくとも１つのハードディスクドライブ１２を収納するサイズである。好ましい一実施形態では、格納デバイス１６はライブラリ１４から取り外し可能である。かかる実施形態によると、格納デバイス１６の１つを容易に取り外して、別の格納デバイス１６と取り替えることができる。
【００２３】
上述のように、格納デバイス１６はガイド５２を含むことができ、ガイド５２は、ガイド部材４６、４７と協働して、格納デバイス１６内のハードディスクドライブ１２を位置合わせする。一例では、ガイド５２は、ハウジング５１内に形成された凹部またはチャネルを含み得る。あるいは、ガイド５２はレール（例えばシリンダまたはロッド）を含み得る。当然、ガイド５２は、ハードディスクドライブ１２に取り付けられたガイド部材４６、４７と協働するような任意の適当な形状であってよい。いずれにせよ、ガイド部材４６、４７はガイド５２に沿って容易に摺動し、内部に形成された格納室５０内にハードディスクドライブ１２をガイドする。
【００２４】
ガイド部材４６、４７は、ハードディスクドライブ１２の任意の適当な位置に取り付けることができる。例えば、ガイド部材４６、４７は、ハードディスクドライブ１２の側部に設けてもよい。かかる実施形態では、対応するガイド５２、５６は、格納デバイス１６およびデータアクセスデバイス１８の側壁または隔壁に設けることができる。
【００２５】
ガイド部材４６、４７は、剛性材料（例えば硬質のプラスチックまたは金属）からできていることが好ましいが、任意の適当な材料から製造することができる。さらに、ガイド部材４６、４７は、任意の適当な形状であってよい。例えば、ガイド部材４６、４７は、図４（ａ）〜図４（ｃ）に示すもののように、「フィン」または「ブレード」であってよい。しかしながら、本発明の教示を熟知した当業者には明らかとなるように、他の実施形態も本発明の範囲内にあると考えられる。例えば、他の実施形態では、ガイド部材４６、４７は、略「Ｔ字形」であってもよく、または、格納デバイス１６およびデータアクセスデバイス１８の円筒ガイドと協働する円形の開口を形成してもよい。
【００２６】
図４（ａ）および図４（ｂ）に示すように、ハードディスクドライブ１２は、ハウジング４４に取り付けられた対応コネクタ２２も含み得る。このコネクタ２２は、ハードディスクドライブ１２からデータアクセスデバイス１８（例えば対応するコネクタ２０）への結合を提供する。データアクセスデバイス１８のコネクタ２０は、コントローラ１９に結合され得るか、またはユーザのコンピュータに直接（例えばネットワーク上で）結合され得る。したがって、ハードディスクドライブ１２は、データアクセスデバイス１８に接続されると、ユーザのコンピュータに結合され得る。
【００２７】
コネクタ２２は、任意の適当なコネクタであってよい。一実施形態では、コネクタ２２は、データ転送、電源、および接地用のピンを含む、複数の接続部すなわちピンを含み得る。さらに、コネクタ２２は、データアクセスデバイス１８の電源を停止させる必要なくハードディスクドライブ１２を容易に接続することができるように、「ホットスワップ可能」コネクタであり得る。例えば、コネクタ２２は、ＲＡＩＤ記憶システムで用いられるもののような、容易に入手可能なＳＣＡ（single connector attachment）であり得る。ＳＣＡコネクタは、単一の８０ピンコネクタで、従来の６８ピンのデータ接続、４ピンの電源接続、およびコンフィギュレーションジャンパを提供する。しかしながら、コネクタ２２の他の実施形態も本発明の範囲内にあると考えられることを理解されたい。
【００２８】
ハードディスクドライブ１２は、ハウジング４４に取り付けられた（またはハウジング４４の一部として一体的に形成された）ブラケット部材４８も含み得る。ブラケット部材４８がピッカアセンブリ２８のサムアセンブリ３８と協働することにより、サムアセンブリ３８がブラケット部材と係合して、ハードディスクドライブ１２をデータアクセスデバイス１８および格納デバイス１６から引き出す。しかしながら、他の実施形態も本発明の範囲内にあると考えられる。例えば、ブラケット部材４８の代わりに、ピッカアセンブリ２８のサムアセンブリ３８と協働するハードディスクドライブ１２のハウジング４４内にノッチが形成されてもよい。ピッカアセンブリ２８が代替的な取り出し機構を含む場合、その取り出し機構と協働するためにブラケット部材４８の適当な代替物を設けることもできる。
【００２９】
任意に、ハードディスクドライブ１２には、機械可読表示（indicia）４９（例えばバーコードラベル）を設けることができる。機械可読表示４９は任意の適当な表示を含むことができ、本明細書中に図示および記載されるバーコードラベルに限定されないことを理解されたい。例えば、機械可読表示４９は、トランスポンダを含み得る。いずれにせよ、機械可読表示４９は、適当な読み取り機および制御回路を用いて読み取ることができ、ライブラリ１４のデータカートリッジ１２を識別するのに用いることができる。例えば、機械可読表示４９がバーコードラベルである場合、ピッカアセンブリ２８がライブラリ１４の移動経路２６に沿って移動する時にハードディスクドライブ１２からバーコードラベルを読み取ることができるように、バーコードスキャナがピッカアセンブリ２８に設けられ得る。あるいは、機械可読表示がトランスポンダである場合、それぞれの格納デバイス１６およびデータアクセスデバイス１８においてトランスポンダに隣接して誘導式の読み取り機（inductive reader）を設けて、トランスポンダを作動させてそこから情報を読み取るようにしてもよい。
【００３０】
データアクセスデバイス１８の一実施形態を図６により詳細に示す。データアクセスデバイス１８は、１つまたは複数のコネクタ２０が取り付けられたバックプレーン５８を含み得る。バックプレーンに取り付けられるコネクタ２０の数は、設計に関する考慮事項に応じて変わり得る。例えば、バックプレーン５８に設けられるコネクタ２０が多いほど、同時にアクセスできるハードディスクドライブ１２の数が多くなる。
【００３１】
コネクタ２０はそれぞれ、電源（図示せず）に結合されており、電源は、ハードディスクドライブ１２がデータアクセスデバイス１８においてコネクタ２０に結合されている場合、ハードディスクドライブ１２に電力を供給する。コネクタ２０はまた、ユーザ（複数可）により要求された読み取り／書き込み動作を実行するために用いることができるデータ転送接続を（例えば制御回路１９を介して）提供する。
【００３２】
データアクセスデバイス１８は、ハウジング５４も含み得る。ハウジング５４は、格納デバイス１６のハウジング５１と同様に製造することができる。実際、いくつかの実施形態では、データアクセスデバイス１８は、ライブラリ１４から取り外し可能である（例えば、それによって容易に取り替えることができる）。
【００３３】
コネクタガイド５６は、格納デバイス１６におけるガイド５２と同様に機能して、ハードディスクドライブ１２がガイド５６に挿入される時にハードディスクドライブ１２を位置合わせするようにする。さらに、ガイド５６は、ハードディスクドライブ１２のコネクタ２２をデータアクセスデバイス１８のバックプレーン５８に取り付けられたコネクタ２０と位置合わせして、コネクタ２０、２２を互いに結合することができるようにする。ここでも、ガイド５６は、ハードディスクドライブ１２のガイド部材４６、４７と協働する任意の適当な形状であってよい。
【００３４】
本発明の一実施形態によると、ハードディスクドライブ記憶システム１０は以下のように動作することができる。ハードディスクドライブ記憶システム１０に（例えばネットワーク接続されたコンピュータを介して）接続されたユーザが読み取り／書き込み動作を要求すると、コントローラ（図示せず）がピッカアセンブリ２８に、格納デバイス１６の１つからハードディスクドライブ１２の１つを取り出すように伝える。
【００３５】
ピッカアセンブリ２８は、格納デバイス１６の選択したデータデータカートリッジ１２に隣接するように、位置決めレール２４上で移動経路２６に沿って移動する。データアクセスデバイス１８を図７に示すが、格納デバイス１６からハードディスクドライブ１２の１つを取り出すというピッカアセンブリ２８の動作は、例示のために同様である。ピッカアセンブリ２８がライブラリ１４内で適切に位置付けられると、プランジ機構３８が、ハードディスクドライブ１２と係合するまで矢印４１の方向へ移動する。プランジ機構３８の配置は、プランジ機構３８がその完全伸長位置またはその付近にある場合に、ハードディスクドライブ１２のブラケット部材４８と係合するような配置である。
【００３６】
ハードディスクドライブ１２がプランジ機構３８により係合された後に、プランジ機構３８は、図７において矢印４２で概ね示すように方向を逆転する。これにより、係合したハードディスクドライブ１２は格納デバイス１６から引き出され、ピッカアセンブリ２８のハウジング４０により画定されるカートリッジ収納キャビティ３６に収納される。ピッカアセンブリ２８をライブラリ１４内の別の場所へ移動させるのに十分な量だけハードディスクドライブ１２がピッカアセンブリ２８のカートリッジ収納キャビティ３６内に収納されるまで、プランジ機構３８は後退し続ける。
【００３７】
ハードディスクドライブ１２が取り出されると、ピッカアセンブリ２８はデータアクセスデバイス１８まで移動する。次に、ピッカアセンブリ２８は、図７に示すように矢印４１の方向にプランジ機構３８を移動させることにより、ハードディスクドライブ１２を排出する。ハードディスクドライブ１２のガイド部材４６、４７は、データアクセスデバイス１８に形成されたガイド５６と協働して、ガイド５６においてハードディスクドライブ１２を位置合わせする。ハードディスクドライブ１２のコネクタ２２がデータアクセスデバイス１８のバックプレーン５８のコネクタ２０と接触し、次いでコネクタ２０と（例えば互いに押し付けることにより）結合して、それによりハードディスクドライブ１２が読み取り／書き込み動作可能になるように、プランジ機構３８は矢印４１の方向に移動し続ける。
【００３８】
読み取り／書き込み動作中に、ピッカアセンブリ２８は、記憶システム１０内で他のハードディスクドライブ１２を取り出し、かつ／または戻すために用いることができる。読み取り／書き込み動作に続いて、ピッカアセンブリ２８はデータアクセスデバイス１８まで戻され、ハードディスクドライブ１２に隣接して位置付けられ得る（すなわち、ライブラリ１４の他の場所へ移動していた場合）。次に、ピッカアセンブリ２８は、上述のように、データアクセスデバイス１８からのハードディスクドライブ１２と係合するように動作し得る。ハードディスクドライブ１２がデータアクセスデバイス１８から引き出されると、コネクタ２０、２２は互いから係脱する。ピッカアセンブリ２８をライブラリ１４内の別の場所へ移動させるのに十分な量だけハードディスクドライブ１２がピッカアセンブリ２８のカートリッジ収納キャビティ３６内に収納されるまで、プランジ機構３８は後退し続ける。次に、ピッカアセンブリ２８は、ハードディスクドライブ１２を格納デバイス１６へ戻すように動作し得る。
【００３９】
本発明のハードディスクドライブ記憶システム１０に使用するハードディスクドライブ１２により、ユーザは、ドライブのデータに高速アクセスすることができることは明白であろう。ハードディスクドライブ１２は、使用時以外には物理的に外されることにより、ハードディスクドライブ１２が常時接続されている場合に生じ得る損耗および／または永久的な損傷またはデータ損失を低減することもまた有利である。さらに、ハードディスクドライブ記憶システム１０に必要なケーブル配線は、「常時接続」システムよりも少ない。
【図面の簡単な説明】
【００４０】
【図１】ハードディスクドライブ記憶システムの一実施形態の平面図である。
【図２】図１に示すハードディスクドライブ記憶システムと共に用いるための、ピッカアセンブリの一実施形態の斜視図である。
【図３】内部のプランジ機構を見せるために側部部材を取り外した、図２に示すピッカアセンブリの斜視図である。
【図４（ａ）】ハードディスクドライブの一実施形態の側面図である。
【図４（ｂ）】ハードディスクドライブの一実施形態の平面図である。
【図４（ｃ）】ハードディスクドライブの一実施形態の正面図である。
【図５】格納マガジンの一実施形態の部分正面図である。
【図６】データアクセスデバイスの一実施形態の正面図である。
【図７】本発明の一実施形態によるピッカアセンブリの動作を示す、ハードディスクドライブに隣接するピッカアセンブリの簡略側面図である。
【符号の説明】
【００４１】
１０  ハードディスクドライブ記憶システム
１２  ハードディスクドライブ
１４  ライブラリ
１６  格納デバイス
２０、２２  コネクタ
２８  ピッカアセンブリ
４６，４７  ガイド部材
５２  格納デバイスガイド
５６  コネクタガイド
【図１】
2004178791.tif 000003
【図２】
2004178791.tif 000004
【図３】
2004178791.tif 000005
【図４（ａ）】
2004178791.tif 000006
【図４（ｂ）】
2004178791.tif 000007
【図４（ｃ）】
2004178791.tif 000008
【図５】
2004178791.tif 000009
【図６】
2004178791.tif 000010
【図７】
2004178791.tif 000011